(57)【要約】  未ライセンススペクトルにおけるアップリンク制御情報（ＵＣＩ）の送信のための物理アップリンク制御チャネル（ＰＵＣＣＨ）フォーマットが、短いＰＵＣＣＨまたは長いＰＵＣＣＨのいずれかである。短いＰＵＣＣＨは、時間領域中の１つのサブフレーム未満を占有し、リソースブロックレベルでのインターレーシングを用いて周波数領域中のシステム帯域幅全体に広がる。長いＰＵＣＣＨは、時間領域中の１つのサブフレームを占有し、リソースブロックレベルでのインターレーシングを用いて周波数領域中のシステム帯域幅全体に広がる。【選択図】図１４
2019504543.tif 000002
【特許請求の範囲】
【請求項１】
ワイヤレス通信デバイスを動作させる方法（１４００）であって、
未ライセンススペクトルにおけるアップリンク制御情報（ＵＣＩ）の送信のための物理アップリンク制御チャネル（ＰＵＣＣＨ）フォーマットを識別すること（Ｓ１４０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がる、識別すること（Ｓ１４０５）と、
前記識別されたＰＵＣＣＨフォーマットに従って前記ＵＣＩを無線アクセスノードに送信すること（Ｓ１４１０）と
を含む、方法（１４００）。
【請求項２】
前記ＵＣＩが、１つまたは複数の他のワイヤレス通信デバイスと協調して前記無線アクセスノードに送信される、請求項１に記載の方法。
【請求項３】
前記１つまたは複数の他のワイヤレス通信デバイスと協調して前記ＵＣＩを前記無線アクセスノードに送信することが、前記短いＰＵＣＣＨまたは前記長いＰＵＣＣＨと同じインターレース上で前記１つまたは複数の他のワイヤレス通信デバイスを多重化することを含む、請求項２に記載の方法。
【請求項４】
前記ＰＵＣＣＨフォーマットが短いＰＵＣＣＨである、請求項１から３のいずれか一項に記載の方法。
【請求項５】
前記ＰＵＣＣＨフォーマットが長いＰＵＣＣＨである、請求項１から３のいずれか一項に記載の方法。
【請求項６】
前記短いＰＵＣＣＨが、前記時間領域中の少なくとも１つの復調用参照信号（ＤＭＲＳ）シンボルと少なくとも１つの制御データシンボルとを備える、請求項４に記載の方法。
【請求項７】
前記短いＰＵＣＣＨが、ダウンリンク部分サブフレームの端部におけるシンボルのシーケンスを備える、請求項６に記載の方法。
【請求項８】
前記１つまたは複数の他のワイヤレス通信デバイスと協調して前記ＵＣＩを送信することが、前記短いＰＵＣＣＨまたは前記長いＰＵＣＣＨにおいて、それぞれ、制御データシンボルと参照シンボルとの上で直交カバーコード（ＯＣＣ）と巡回シフト（ＣＳ）とを使用して、前記１つまたは複数の他のワイヤレス通信デバイスと多重化することを含む、請求項２に記載の方法。
【請求項９】
前記送信することが、割り振られたインターレース上の、または前記システム帯域幅全体にわたるすべての割り振られたインターレース上のブロックインターリーブ周波数分割多元接続（Ｂ−ＩＦＤＭＡ）シンボル内のすべてのサブキャリア上で、復調用参照信号（ＤＭＲＳ）シンボルを送信することを含む、請求項４に記載の方法。
【請求項１０】
前記送信することが、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを送信することを含み、ここで、「ｎ」が、１よりも大きい整数である、請求項４に記載の方法。
【請求項１１】
前記ワイヤレス通信デバイスおよび前記１つまたは複数の他のワイヤレス通信デバイスが、異なるインターレーシングパターンを割り振られる、請求項２に記載の方法。
【請求項１２】
前記ワイヤレス通信デバイスおよび前記１つまたは複数の他のワイヤレス通信デバイスが、同じインターレーシングパターンを割り振られ、前記ワイヤレス通信デバイスおよび前記１つまたは複数の他のワイヤレス通信デバイスが、同じ時間周波数リソース上でＰＵＣＣＨ制御データを可能にするために、異なる直交カバーコード（ＯＣＣ）を適用する、請求項２に記載の方法。
【請求項１３】
ワイヤレス通信デバイス（１１０５、１２００）であって、
未ライセンススペクトルにおけるアップリンク制御情報（ＵＣＩ）の送信のための物理アップリンク制御チャネル（ＰＵＣＣＨ）フォーマットを識別すること（Ｓ１４０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がる、識別すること（Ｓ１４０５）
を行うように設定された少なくとも１つのプロセッサ（１２０５）と、
前記識別されたＰＵＣＣＨフォーマットに従って前記ＵＣＩを無線アクセスノードに送信すること（Ｓ１４１０）を行うように設定された少なくとも１つの送信機と
を備える、ワイヤレス通信デバイス（１１０５、１２００）。
【請求項１４】
前記ＵＣＩが、１つまたは複数の他のワイヤレス通信デバイスと協調して前記無線アクセスノードに送信される、請求項１３に記載のワイヤレス通信デバイス。
【請求項１５】
前記１つまたは複数の他のワイヤレス通信デバイスと協調して前記ＵＣＩを前記無線アクセスノードに送信することが、前記短いＰＵＣＣＨまたは前記長いＰＵＣＣＨと同じインターレース上で前記１つまたは複数の他のワイヤレス通信デバイスを多重化することを含む、請求項１４に記載のワイヤレス通信デバイス。
【請求項１６】
前記ＰＵＣＣＨフォーマットが短いＰＵＣＣＨである、請求項１３から１５のいずれか一項に記載のワイヤレス通信デバイス。
【請求項１７】
前記ＰＵＣＣＨフォーマットが長いＰＵＣＣＨである、請求項１３から１５のいずれか一項に記載のワイヤレス通信デバイス。
【請求項１８】
前記短いＰＵＣＣＨが、前記時間領域中の少なくとも１つの復調用参照信号（ＤＭＲＳ）シンボルと少なくとも１つの制御データシンボルとを備える、請求項１６に記載のワイヤレス通信デバイス。
【請求項１９】
前記短いＰＵＣＣＨが、ダウンリンク部分サブフレームの端部におけるシンボルのシーケンスを備える、請求項１８に記載のワイヤレス通信デバイス。
【請求項２０】
前記１つまたは複数の他のワイヤレス通信デバイスと協調して前記ＵＣＩを送信することが、前記短いＰＵＣＣＨまたは前記長いＰＵＣＣＨにおいて、それぞれ、データシンボルと参照シンボルとの上で直交カバーコード（ＯＣＣ）と巡回シフト（ＣＳ）とを使用して、前記１つまたは複数の他のワイヤレス通信デバイスと多重化することを含む、請求項１４に記載のワイヤレス通信デバイス。
【請求項２１】
前記送信することが、割り振られたインターレース上の、または前記システム帯域幅全体にわたるすべての割り振られたインターレース上のブロックインターリーブ周波数分割多元接続（Ｂ−ＩＦＤＭＡ）シンボル内のすべてのサブキャリア上で、復調用参照信号（ＤＭＲＳ）シンボルを送信することを含む、請求項１６に記載のワイヤレス通信デバイス。
【請求項２２】
前記送信することが、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを送信することを含み、ここで、「ｎ」が、１よりも大きい整数である、請求項１６に記載のワイヤレス通信デバイス。
【請求項２３】
前記ワイヤレス通信デバイスおよび前記１つまたは複数の他のワイヤレス通信デバイスが、異なるインターレーシングパターンを割り振られる、請求項１４に記載のワイヤレス通信デバイス。
【請求項２４】
前記ワイヤレス通信デバイスおよび前記１つまたは複数の他のワイヤレス通信デバイスが、同じインターレーシングパターンを割り振られ、前記ワイヤレス通信デバイスおよび前記１つまたは複数の他のワイヤレス通信デバイスが、同じ時間周波数リソース上でＰＵＣＣＨ制御データを可能にするために、異なる直交カバーコード（ＯＣＣ）を適用する、請求項１４に記載のワイヤレス通信デバイス。
【請求項２５】
無線アクセスノードを動作させる方法（１６００）であって、
未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別すること（Ｓ１６０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がるに広がる、識別すること（Ｓ１６０５）と、
前記識別されたＰＵＣＣＨフォーマットに従って前記ＵＣＩを前記少なくとも１つのワイヤレス通信デバイスから受信すること（Ｓ１６１０）と
を含む、方法（１６００）。
【請求項２６】
前記ＰＵＣＣＨフォーマットを識別することが、ｅノードＢタイミング構成とハイブリッド自動再送要求（ＨＡＲＱ）プロトコルとのうちの少なくとも１つに従って、短いＰＵＣＣＨと長いＰＵＣＣＨとの間で選択することを含む、請求項２５に記載の方法。
【請求項２７】
前記受信されたＵＣＩが、前記短いＰＵＣＣＨまたは前記長いＰＵＣＣＨと同じインターレース上で、少なくとも１つの他のワイヤレス通信デバイスから送信された情報と多重化される、請求項２５または２６に記載の方法。
【請求項２８】
前記ＰＵＣＣＨフォーマットが短いＰＵＣＣＨである、請求項２５から２７のいずれか一項に記載の方法。
【請求項２９】
前記ＰＵＣＣＨフォーマットが長いＰＵＣＣＨである、請求項２５から２７のいずれか一項に記載の方法。
【請求項３０】
前記短いＰＵＣＣＨが、前記時間領域中の少なくとも１つの復調用参照信号（ＤＭＲＳ）シンボルと少なくとも１つの制御データシンボルとを備える、請求項２８に記載の方法。
【請求項３１】
前記短いＰＵＣＣＨが、ダウンリンク部分サブフレームの端部におけるシンボルのシーケンスを備える、請求項３０に記載の方法。
【請求項３２】
前記受信されたＵＣＩが、前記短いＰＵＣＣＨまたは前記長いＰＵＣＣＨにおいて、少なくとも１つの他のワイヤレス通信デバイスから送信された情報と多重化される、請求項２５に記載の方法。
【請求項３３】
前記ＵＣＩと、前記少なくとも１つの他のワイヤレス通信デバイスから送信された前記情報とが、それぞれ、制御データシンボルと参照シンボルとの上で直交カバーコード（ＯＣＣ）と巡回シフト（ＣＳ）とを使用して多重化される、請求項３２に記載の方法。
【請求項３４】
前記ＰＵＣＣＨフォーマットが、割り振られたインターレース上の、または前記システム帯域幅全体にわたるすべての割り振られたインターレース上のブロックインターリーブ周波数分割多元接続（Ｂ−ＩＦＤＭＡ）シンボル内のすべてのサブキャリア上に、復調用参照信号（ＤＭＲＳ）シンボルを備える、請求項２５に記載の方法。
【請求項３５】
前記ＰＵＣＣＨフォーマットが、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを備え、ここで、「ｎ」が、１よりも大きい整数である、請求項２５に記載の方法。
【請求項３６】
前記ＵＣＩが、同じサブフレーム内の異なるインターレーシングパターンを使用して、少なくとも１つの他のワイヤレス通信デバイスからのＵＣＩと多重化される、請求項２５に記載の方法。
【請求項３７】
前記ＵＣＩが、同じサブフレーム内の同じインターレーシングパターンを使用して、少なくとも１つの他のワイヤレス通信デバイスからのＵＣＩと多重化される、請求項２５に記載の方法。
【請求項３８】
前記少なくとも１つのワイヤレス通信デバイスからの前記ＵＣＩと前記少なくとも１つの他のワイヤレス通信デバイスからの前記ＵＣＩとが、異なる直交カバーコード（ＯＣＣ）の対象となる、請求項３７に記載の方法。
【請求項３９】
無線アクセスノード（１１１０、１３００）であって、
未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別すること（Ｓ１６０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がる、識別すること（Ｓ１６０５）
を行うようにまとめて設定された少なくとも１つのプロセッサ（１３０５）およびメモリ（１３１０）と、
前記識別されたＰＵＣＣＨフォーマットに従って前記ＵＣＩを前記少なくとも１つのワイヤレス通信デバイスから受信すること（Ｓ１６１０）を行うように設定された受信機と
を備える、無線アクセスノード（１１１０、１３００）。
【請求項４０】
前記ＰＵＣＣＨフォーマットを識別することが、ｅノードＢタイミング構成とハイブリッド自動再送要求（ＨＡＲＱ）プロトコルとのうちの少なくとも１つに従って、短いＰＵＣＣＨと長いＰＵＣＣＨとの間で選択することを含む、請求項３９に記載の無線アクセスノード。
【請求項４１】
前記受信されたＵＣＩが、前記短いＰＵＣＣＨまたは前記長いＰＵＣＣＨと同じインターレース上で、少なくとも１つの他のワイヤレス通信デバイスから送信された情報と多重化される、請求項３９または４０に記載の無線アクセスノード。
【請求項４２】
前記ＰＵＣＣＨフォーマットが短いＰＵＣＣＨである、請求項３９から４１のいずれか一項に記載の無線アクセスノード。
【請求項４３】
前記ＰＵＣＣＨフォーマットが長いＰＵＣＣＨである、請求項３９から４１のいずれか一項に記載の無線アクセスノード。
【請求項４４】
前記短いＰＵＣＣＨが、前記時間領域中の少なくとも１つの復調用参照信号（ＤＭＲＳ）シンボルと少なくとも１つの制御データシンボルとを備える、請求項４２に記載の無線アクセスノード。
【請求項４５】
前記短いＰＵＣＣＨが、ダウンリンク部分サブフレームの端部におけるシンボルのシーケンスを備える、請求項４４に記載の無線アクセスノード。
【請求項４６】
前記受信されたＵＣＩが、前記短いＰＵＣＣＨまたは前記長いＰＵＣＣＨにおいて、少なくとも１つの他のワイヤレス通信デバイスから送信された情報と多重化される、請求項３９に記載の無線アクセスノード。
【請求項４７】
前記ＵＣＩと、前記少なくとも１つの他のワイヤレス通信デバイスから送信された前記情報とが、それぞれ、制御データシンボルと参照シンボルとの上で直交カバーコード（ＯＣＣ）と巡回シフト（ＣＳ）とを使用して多重化される、請求項４６に記載の無線アクセスノード。
【請求項４８】
前記ＰＵＣＣＨフォーマットが、割り振られたインターレース上の、または前記システム帯域幅全体にわたるすべての割り振られたインターレース上のブロックインターリーブ周波数分割多元接続（Ｂ−ＩＦＤＭＡ）シンボル内のすべてのサブキャリア上に、復調用参照信号（ＤＭＲＳ）シンボルを備える、請求項３９に記載の無線アクセスノード。
【請求項４９】
前記ＰＵＣＣＨフォーマットが、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを備え、ここで、「ｎ」が、１よりも大きい整数である、請求項３９に記載の無線アクセスノード。
【請求項５０】
前記ＵＣＩが、同じサブフレーム内の異なるインターレーシングパターンを使用して、少なくとも１つの他のワイヤレス通信デバイスからのＵＣＩと多重化される、請求項３９に記載の無線アクセスノード。
【請求項５１】
前記ＵＣＩが、同じサブフレーム内の同じインターレーシングパターンを使用して、少なくとも１つの他のワイヤレス通信デバイスからのＵＣＩと多重化される、請求項３９に記載の無線アクセスノード。
【請求項５２】
前記少なくとも１つのワイヤレス通信デバイスからの前記ＵＣＩと前記少なくとも１つの他のワイヤレス通信デバイスからの前記ＵＣＩとが、異なる直交カバーコード（ＯＣＣ）の対象となる、請求項５１に記載の無線アクセスノード。
【請求項５３】
ワイヤレス通信デバイス（１５００）であって、
未ライセンススペクトルにおけるアップリンク制御情報（ＵＣＩ）の送信のための物理アップリンク制御チャネル（ＰＵＣＣＨ）フォーマットを識別する（Ｓ１４０５）ように設定された識別モジュール（１５０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がる、識別モジュール（１５０５）と、
前記識別されたＰＵＣＣＨフォーマットに従って前記ＵＣＩを無線アクセスノードに送信する（Ｓ１４１０）ように設定された送信モジュール（１５１０）と
を備える、ワイヤレス通信デバイス（１５００）。
【請求項５４】
無線アクセスノード（１７００）であって、
未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別する（Ｓ１６０５）ように設定された識別モジュール（１７０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がりに広がり、前記長いＰＵＣＣＨが、前記時間領域中の１つのサブフレームを占有し、かつ、リソースブロックレベルでのインターレーシングを用いて前記周波数領域中の前記システム帯域幅全体に広がる、識別モジュール（１７０５）と、
前記識別されたＰＵＣＣＨフォーマットに従って前記ＵＣＩを前記少なくとも１つのワイヤレス通信デバイスから受信する（Ｓ１６１０）ように設定された受信モジュール（１７１０）と
を備える、無線アクセスノード（１７００）。
【発明の詳細な説明】
【技術分野】
【０００１】
関連出願の相互参照
本出願は、その開示の全体が参照により本明細書に組み込まれる、２０１５年１２月７日に出願された米国仮出願第６２／２６４，０９１号の優先権を主張する。
【０００２】
開示される主題は、一般に電気通信に関する。いくらかの実施形態は、より詳細には、未ライセンスキャリアのためのアップリンク制御チャネル構成に関する。
【背景技術】
【０００３】
アップリンクライセンス支援型アクセス（ＬＡＡ）に関するスタンドアロン未ライセンススペクトルにおけるＬｏｎｇ−Ｔｅｒｍ  Ｅｖｏｌｕｔｉｏｎ（ＬＴＥ）（ＬＴＥ−Ｕ：ＬＴＥ  ｉｎ  ｕｎｌｉｃｅｎｓｅｄ  ｓｐｅｃｔｒｕｍ）フォーラム、および第３世代パートナーシッププロジェクト（３ＧＰＰ）リリース１４（Ｒｅｌ−１４）作業項目は、ＬＴＥユーザ機器（ＵＥ）が、未ライセンス５ＧＨｚまたはライセンス共有３．５ＧＨｚ無線スペクトルにおけるアップリンク上で送信することを可能にすることを意図する。スタンドアロンＬＴＥ−Ｕの場合、最初のランダムアクセスおよび後続のＵＬ送信は、完全に未ライセンススペクトル上で行われる。規制要件は、先行するチャネル検知のない未ライセンススペクトルにおける送信を禁止し得る。
【０００４】
未ライセンススペクトルは、通常、同様のまたは同様でないワイヤレス技術の他の無線機と共有されるので、いわゆるリッスンビフォアトーク（ＬＢＴ）方法が適用され得る。ＬＢＴは、あらかじめ定義された最小時間量の間媒体を検知することと、チャネルがビジーである場合、バックオフすることとを伴う。
【０００５】
今日、未ライセンス５ＧＨｚスペクトルは、主に、Ｗｉ−Ｆｉとしても知られる、ＩＥＥＥ８０２．１１ワイヤレスローカルエリアネットワーク（ＷＬＡＮ）規格を実装する機器によって使用される。
【０００６】
ＬＴＥは、ダウンリンクにおいて直交周波数分割多重（ＯＦＤＭ）を使用し、アップリンクにおいて（シングルキャリアＦＤＭＡ［ＳＣ−ＦＤＭＡ］とも呼ばれる）離散フーリエ変換拡散（ＤＦＴ拡散）ＯＦＤＭを使用する。こうして、基本ＬＴＥダウンリンク物理リソースは、図１に例示されているように時間周波数グリッドと見なされ得、ここで、各リソースエレメントは、１つのＯＦＤＭシンボル間隔中の１つのＯＦＤＭサブキャリアに対応する。アップリンクサブフレームは、ダウンリンクと同じサブキャリア間隔（１５ｋＨｚ）と、ダウンリンクにおけるＯＦＤＭシンボルと同数の、時間領域中のＳＣ−ＦＤＭＡシンボルとを有する。
【０００７】
時間領域中で、ＬＴＥダウンリンク送信は、１０ｍｓの無線フレームに編成され、各無線フレームは、図２に示されているように長さＴｓｕｂｆｒａｍｅ＝１ｍｓの１０個の等しいサイズのサブフレームを備える。各サブフレームは、各々持続時間０．５ｍｓの２つのスロットを備え、フレーム内でのスロット番号付けは、０から１９にわたる。ノーマルサイクリックプレフィックスの場合、１つのサブフレームは、１４個のＯＦＤＭシンボルを備える。各シンボルの持続時間は、サイクリックプレフィックスを含むとき、約７１．４μｓである。
【０００８】
さらに、ＬＴＥにおけるリソース割り当てを、通常、リソースブロックに関して説明し、ここで、リソースブロックは、周波数領域中の１２個の連続サブキャリアに対応する。リソースブロックは、周波数領域中で番号を付けられ、システム帯域幅の一端において０から始まる。
【０００９】
今まで、ＬＴＥによって使用されるスペクトルは、ＬＴＥに専用である。これは、ＬＴＥが、スペクトルを共有することによる厄介な問題を回避することと、スペクトル効率の相応の利得を達成することとを可能にすることの利益を有する。しかしながら、ＬＴＥに割り当てられたスペクトルは、限定されており、アプリケーション／サービスからのより大きいスループットに対する常に増加する需要を満たすことができない。結果として、ライセンス済みスペクトルに加えて未ライセンススペクトルを活用するための新しい研究項目が、拡張ＬＴＥに関して３ＧＰＰにおいて開始された。
【００１０】
未ライセンススペクトルは、定義によれば、複数の異なる技術によって同時に使用／共有され得る。そのため、ＬＴＥは、ＩＥＥＥ８０２．１１（Ｗｉ−Ｆｉ）など、他のシステムとの共存を考慮すべきである。ライセンス済みスペクトルの場合と同じ様式で未ライセンススペクトルにおいてＬＴＥを動作させることは、Ｗｉ−Ｆｉが、チャネルが占有されたことを検出すると、Ｗｉ−Ｆｉは送信しないので、Ｗｉ−Ｆｉの性能をひどく劣化させることがある。
【００１１】
さらに、未ライセンススペクトルを確実に利用するための１つのやり方は、ライセンス済みキャリア上で必須の制御信号とチャネルとを送信することである。たとえば、図３に示されているように、ＵＥは、ライセンス済み帯域におけるＰＣｅｌｌと、未ライセンス帯域における１つまたは複数のＳＣｅｌｌとに接続される。本明細書では、未ライセンススペクトルにおける２次セルは、ライセンス支援型アクセス２次セル（ＬＡＡ  ＳＣｅｌｌ）と呼ばれる。
【００１２】
「ＭｕＬＴＥｆｉｒｅ」と呼ばれる、スタンドアロンモードで、完全に未ライセンススペクトル上で動作するための新しい産業フォーラムが、拡張ＬＴＥに関して開始された。ＭｕＬＴＥｆｉｒｅでは、必須の制御信号送信と制御チャネルとのためのライセンス済みキャリアがない。したがって、すべての送信は、チャネルアクセス利用可能性が保証されない未ライセンススペクトル上で行われ、しかも、すべての送信はまた、未ライセンススペクトルに関する規制要件を満たさなければならない。
【発明の概要】
【００１３】
開示される主題のいくつかの実施形態では、ワイヤレス通信デバイスを動作させる方法は、未ライセンススペクトルにおけるアップリンク制御情報（ＵＣＩ）の送信のための物理アップリンク制御チャネル（ＰＵＣＣＨ）フォーマットを識別することであって、ＰＵＣＣＨフォーマットが、短いＰＵＣＣＨまたは長いＰＵＣＣＨであり、短いＰＵＣＣＨが、時間領域中の１つのサブフレーム未満を占有し、リソースブロックレベルでのインターレーシングを用いて周波数領域中のシステム帯域幅全体に広がり、長いＰＵＣＣＨが、時間領域中の１つのサブフレームを占有し、リソースブロックレベルでのインターレーシングを用いて周波数領域中のシステム帯域幅全体に広がる、識別することと、識別されたＰＵＣＣＨフォーマットに従ってＵＣＩを無線アクセスノードに送信することとを備える。
【００１４】
ある種の関係する実施形態では、ＵＣＩは、１つまたは複数の他のワイヤレス通信デバイスと協調して無線アクセスノードに送信される。いくつかのそのような実施形態では、１つまたは複数の他のワイヤレス通信デバイスと協調してＵＣＩを無線アクセスノードに送信することは、短いＰＵＣＣＨまたは長いＰＵＣＣＨと同じインターレース上で１つまたは複数の他のワイヤレス通信デバイスを多重化することを含む。いくつかのそのような実施形態では、１つまたは複数の他のワイヤレス通信デバイスと協調してＵＣＩを送信することは、短いＰＵＣＣＨまたは長いＰＵＣＣＨにおいて、それぞれ、制御データシンボルと参照シンボルとの上で直交カバーコード（ＯＣＣ）と巡回シフト（ＣＳ）とを使用して、１つまたは複数の他のワイヤレス通信デバイスと多重化することを含む。
【００１５】
ある種の関係する実施形態では、ＰＵＣＣＨフォーマットは短いＰＵＣＣＨである。
【００１６】
ある種の関係する実施形態では、ＰＵＣＣＨフォーマットは長いＰＵＣＣＨである。いくつかのそのような実施形態では、短いＰＵＣＣＨは、時間領域中の少なくとも１つの復調用参照信号（ＤＭＲＳ）シンボルと少なくとも１つの制御データシンボルとを備える。いくつかのそのような実施形態では、短いＰＵＣＣＨは、ダウンリンク部分サブフレームの端部におけるシンボルのシーケンスを備える。
【００１７】
ある種の関係する実施形態では、送信することは、割り振られたインターレース上の、またはシステム帯域幅全体にわたるすべての割り振られたインターレース上のブロックインターリーブ周波数分割多元接続（Ｂ−ＩＦＤＭＡ）シンボル内のすべてのサブキャリア上で、復調用参照信号（ＤＭＲＳ）シンボルを送信することを含む。
【００１８】
ある種の関係する実施形態では、送信することは、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを送信することを含み、ここで、「ｎ」は、１よりも大きい整数である。
【００１９】
ある種の関係する実施形態では、ワイヤレス通信デバイスおよび１つまたは複数の他のワイヤレス通信デバイスは、異なるインターレーシングパターンを割り振られる。
【００２０】
ある種の関係する実施形態では、ワイヤレス通信デバイスおよび１つまたは複数の他のワイヤレス通信デバイスは、同じインターレーシングパターンを割り振られ、ワイヤレス通信デバイスおよび１つまたは複数の他のワイヤレス通信デバイスは、同じ時間周波数リソース上でＰＵＣＣＨ制御データを可能にするために、異なる直交カバーコード（ＯＣＣ）を適用する。
【００２１】
開示される主題のいくつかの実施形態では、ワイヤレス通信デバイスは、未ライセンススペクトルにおけるアップリンク制御情報（ＵＣＩ）の送信のための物理アップリンク制御チャネル（ＰＵＣＣＨ）フォーマットを識別するように設定された少なくとも１つのプロセッサであって、ＰＵＣＣＨフォーマットが、短いＰＵＣＣＨまたは長いＰＵＣＣＨであり、短いＰＵＣＣＨが、時間領域中の１つのサブフレーム未満を占有し、リソースブロックレベルでのインターレーシングを用いて周波数領域中のシステム帯域幅全体に広がり、長いＰＵＣＣＨが、時間領域中の１つのサブフレームを占有し、リソースブロックレベルでのインターレーシングを用いて周波数領域中のシステム帯域幅全体に広がる、少なくとも１つのプロセッサと、識別されたＰＵＣＣＨフォーマットに従ってＵＣＩを無線アクセスノードに送信するように設定された少なくとも１つの送信機とを備える。
【００２２】
ある種の関係する実施形態では、ＵＣＩは、１つまたは複数の他のワイヤレス通信デバイスと協調して無線アクセスノードに送信される。
【００２３】
ある種の関係する実施形態では、１つまたは複数の他のワイヤレス通信デバイスと協調してＵＣＩを無線アクセスノードに送信することは、短いＰＵＣＣＨまたは長いＰＵＣＣＨと同じインターレース上で１つまたは複数の他のワイヤレス通信デバイスを多重化することを含む。
【００２４】
ある種の関係する実施形態では、ＰＵＣＣＨフォーマットは短いＰＵＣＣＨである。
【００２５】
ある種の関係する実施形態では、ＰＵＣＣＨフォーマットは長いＰＵＣＣＨである。
【００２６】
ある種の関係する実施形態では、短いＰＵＣＣＨは、時間領域中の少なくとも１つの復調用参照信号（ＤＭＲＳ）シンボルと少なくとも１つの制御データシンボルとを備える。
【００２７】
ある種の関係する実施形態では、短いＰＵＣＣＨは、ダウンリンク部分サブフレームの端部におけるシンボルのシーケンスを備える。
【００２８】
ある種の関係する実施形態では、１つまたは複数の他のワイヤレス通信デバイスと協調してＵＣＩを送信することは、短いＰＵＣＣＨまたは長いＰＵＣＣＨにおいて、それぞれ、データシンボルと参照シンボルとの上で直交カバーコード（ＯＣＣ）と巡回シフト（ＣＳ）とを使用して、１つまたは複数の他のワイヤレス通信デバイスと多重化することを含む。
【００２９】
ある種の関係する実施形態では、送信することは、割り振られたインターレース上の、またはシステム帯域幅全体にわたるすべての割り振られたインターレース上のブロックインターリーブ周波数分割多元接続（Ｂ−ＩＦＤＭＡ）シンボル内のすべてのサブキャリア上で、復調用参照信号（ＤＭＲＳ）シンボルを送信することを含む。
【００３０】
ある種の関係する実施形態では、送信することは、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを送信することを含み、ここで、「ｎ」は、１よりも大きい整数である。
【００３１】
ある種の関係する実施形態では、ワイヤレス通信デバイスおよび１つまたは複数の他のワイヤレス通信デバイスは、異なるインターレーシングパターンを割り振られる。
【００３２】
ある種の関係する実施形態では、ワイヤレス通信デバイスおよび１つまたは複数の他のワイヤレス通信デバイスは、同じインターレーシングパターンを割り振られ、ワイヤレス通信デバイスおよび１つまたは複数の他のワイヤレス通信デバイスは、同じ時間周波数リソース上でＰＵＣＣＨ制御データを可能にするために、異なる直交カバーコード（ＯＣＣ）を適用する。
【００３３】
開示される主題のいくつかの実施形態では、無線アクセスノードを動作させる方法は、未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別することであって、ＰＵＣＣＨフォーマットが、短いＰＵＣＣＨまたは長いＰＵＣＣＨであり、短いＰＵＣＣＨが、時間領域中の１つのサブフレーム未満を占有し、リソースブロックレベルでのインターレーシングを用いて周波数領域中のシステム帯域幅全体に広がり、長いＰＵＣＣＨが、時間領域中の１つのサブフレームを占有し、リソースブロックレベルでのインターレーシングを用いて周波数領域中のシステム帯域幅全体に広がる、識別することと、識別されたＰＵＣＣＨフォーマットに従ってＵＣＩを少なくとも１つのワイヤレス通信デバイスから受信することとを備える。
【００３４】
ある種の関係する実施形態では、ＰＵＣＣＨフォーマットを識別することは、ｅノードＢタイミング構成とハイブリッド自動再送要求（ＨＡＲＱ）プロトコルとのうちの少なくとも１つに従って、短いＰＵＣＣＨと長いＰＵＣＣＨとの間で選択することを含む。
【００３５】
ある種の関係する実施形態では、受信されたＵＣＩは、短いＰＵＣＣＨまたは長いＰＵＣＣＨと同じインターレース上で、少なくとも１つの他のワイヤレス通信デバイスから送信された情報と多重化される。
【００３６】
ある種の関係する実施形態では、ＰＵＣＣＨフォーマットは短いＰＵＣＣＨである。
【００３７】
ある種の関係する実施形態では、ＰＵＣＣＨフォーマットは長いＰＵＣＣＨである。
【００３８】
ある種の関係する実施形態では、短いＰＵＣＣＨは、時間領域中の少なくとも１つの復調用参照信号（ＤＭＲＳ）シンボルと少なくとも１つの制御データシンボルとを備える。
【００３９】
ある種の関係する実施形態では、短いＰＵＣＣＨは、ダウンリンク部分サブフレームの端部におけるシンボルのシーケンスを備える。
【００４０】
ある種の関係する実施形態では、受信されたＵＣＩは、短いＰＵＣＣＨまたは長いＰＵＣＣＨにおいて、少なくとも１つの他のワイヤレス通信デバイスから送信された情報と多重化される。
【００４１】
ある種の関係する実施形態では、ＵＣＩと、少なくとも１つの他のワイヤレス通信デバイスから送信された情報とは、それぞれ、制御データシンボルと参照シンボルとの上で直交カバーコード（ＯＣＣ）と巡回シフト（ＣＳ）とを使用して多重化される。
【００４２】
ある種の関係する実施形態では、ＰＵＣＣＨフォーマットは、割り振られたインターレース上の、またはシステム帯域幅全体にわたるすべての割り振られたインターレース上のブロックインターリーブ周波数分割多元接続（Ｂ−ＩＦＤＭＡ）シンボル内のすべてのサブキャリア上に、復調用参照信号（ＤＭＲＳ）シンボルを備える。
【００４３】
ある種の関係する実施形態では、ＰＵＣＣＨフォーマットは、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを備え、ここで、「ｎ」は、１よりも大きい整数である。
【００４４】
ある種の関係する実施形態では、ＵＣＩは、同じサブフレーム内の異なるインターレーシングパターンを使用して、少なくとも１つの他のワイヤレス通信デバイスからのＵＣＩと多重化される。
【００４５】
ある種の関係する実施形態では、ＵＣＩは、同じサブフレーム内の同じインターレーシングパターンを使用して、少なくとも１つの他のワイヤレス通信デバイスからのＵＣＩと多重化される。
【００４６】
ある種の関係する実施形態では、少なくとも１つのワイヤレス通信デバイスからのＵＣＩと少なくとも１つの他のワイヤレス通信デバイスからのＵＣＩとは、異なる直交カバーコード（ＯＣＣ）の対象となる。
【００４７】
開示される主題のいくつかの実施形態では、無線アクセスノードは、未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別することであって、ＰＵＣＣＨフォーマットが、短いＰＵＣＣＨまたは長いＰＵＣＣＨであり、短いＰＵＣＣＨが、時間領域中の１つのサブフレーム未満を占有し、リソースブロックレベルでのインターレーシングを用いて周波数領域中のシステム帯域幅全体に広がり、長いＰＵＣＣＨが、時間領域中の１つのサブフレームを占有し、リソースブロックレベルでのインターレーシングを用いて周波数領域中のシステム帯域幅全体に広がる、識別することを行うようにまとめて設定された少なくとも１つのプロセッサおよびメモリと、識別されたＰＵＣＣＨフォーマットに従ってＵＣＩを少なくとも１つのワイヤレス通信デバイスから受信することを行うように設定された受信機とを備える。
【００４８】
ある種の関係する実施形態では、ＰＵＣＣＨフォーマットを識別することは、ｅノードＢタイミング構成とハイブリッド自動再送要求（ＨＡＲＱ）プロトコルとのうちの少なくとも１つに従って、短いＰＵＣＣＨと長いＰＵＣＣＨとの間で選択することを含む。
【００４９】
ある種の関係する実施形態では、受信されたＵＣＩは、短いＰＵＣＣＨまたは長いＰＵＣＣＨと同じインターレース上で、少なくとも１つの他のワイヤレス通信デバイスから送信された情報と多重化される。
【００５０】
ある種の関係する実施形態では、ＰＵＣＣＨフォーマットは短いＰＵＣＣＨである。
【００５１】
ある種の関係する実施形態では、ＰＵＣＣＨフォーマットは長いＰＵＣＣＨである。
【００５２】
ある種の関係する実施形態では、短いＰＵＣＣＨは、時間領域中の少なくとも１つの復調用参照信号（ＤＭＲＳ）シンボルと少なくとも１つの制御データシンボルとを備える。
【００５３】
ある種の関係する実施形態では、短いＰＵＣＣＨは、ダウンリンク部分サブフレームの端部におけるシンボルのシーケンスを備える。
【００５４】
ある種の関係する実施形態では、受信されたＵＣＩは、短いＰＵＣＣＨまたは長いＰＵＣＣＨにおいて、少なくとも１つの他のワイヤレス通信デバイスから送信された情報と多重化される。
【００５５】
ある種の関係する実施形態では、ＵＣＩと、少なくとも１つの他のワイヤレス通信デバイスから送信された情報とは、それぞれ、制御データシンボルと参照シンボルとの上で直交カバーコード（ＯＣＣ）と巡回シフト（ＣＳ）とを使用して多重化される。
【００５６】
ある種の関係する実施形態では、ＰＵＣＣＨフォーマットは、割り振られたインターレース上の、またはシステム帯域幅全体にわたるすべての割り振られたインターレース上のブロックインターリーブ周波数分割多元接続（Ｂ−ＩＦＤＭＡ）シンボル内のすべてのサブキャリア上に、復調用参照信号（ＤＭＲＳ）シンボルを備える。
【００５７】
ある種の関係する実施形態では、ＰＵＣＣＨフォーマットは、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを備え、ここで、「ｎ」は、１よりも大きい整数である。
【００５８】
ある種の関係する実施形態では、ＵＣＩは、同じサブフレーム内の異なるインターレーシングパターンを使用して、少なくとも１つの他のワイヤレス通信デバイスからのＵＣＩと多重化される。
【００５９】
ある種の関係する実施形態では、ＵＣＩは、同じサブフレーム内の同じインターレーシングパターンを使用して、少なくとも１つの他のワイヤレス通信デバイスからのＵＣＩと多重化される。
【００６０】
ある種の関係する実施形態では、少なくとも１つのワイヤレス通信デバイスからのＵＣＩと少なくとも１つの他のワイヤレス通信デバイスからのＵＣＩとは、異なる直交カバーコード（ＯＣＣ）の対象となる。
【００６１】
開示される主題のいくつかの実施形態では、ワイヤレス通信デバイスは、未ライセンススペクトルにおけるアップリンク制御情報（ＵＣＩ）の送信のための物理アップリンク制御チャネル（ＰＵＣＣＨ）フォーマットを識別するように設定された識別モジュールであって、ＰＵＣＣＨフォーマットが、短いＰＵＣＣＨまたは長いＰＵＣＣＨであり、短いＰＵＣＣＨが、時間領域中の１つのサブフレーム未満を占有し、リソースブロックレベルでのインターレーシングを用いて周波数領域中のシステム帯域幅全体に広がり、長いＰＵＣＣＨが、時間領域中の１つのサブフレームを占有し、リソースブロックレベルでのインターレーシングを用いて周波数領域中のシステム帯域幅全体に広がる、識別モジュールと、識別されたＰＵＣＣＨフォーマットに従ってＵＣＩを無線アクセスノードに送信するように設定された送信モジュールとを備える。
【００６２】
開示される主題のいくつかの実施形態では、無線アクセスノードは、未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別するように設定された識別モジュールであって、ＰＵＣＣＨフォーマットが、短いＰＵＣＣＨまたは長いＰＵＣＣＨであり、短いＰＵＣＣＨが、時間領域中の１つのサブフレーム未満を占有し、リソースブロックレベルでのインターレーシングを用いて周波数領域中のシステム帯域幅全体に広がり、長いＰＵＣＣＨが、時間領域中の１つのサブフレームを占有し、リソースブロックレベルでのインターレーシングを用いて周波数領域中のシステム帯域幅全体に広がる、識別モジュールと、識別されたＰＵＣＣＨフォーマットに従ってＵＣＩを少なくとも１つのワイヤレス通信デバイスから受信するように設定された受信モジュールとを備える。
【００６３】
図面は、開示される主題の選択された実施形態を例示する。図面において、同じような参照ラベルは同じような特徴を意味する。
【図面の簡単な説明】
【００６４】
【図１】例示的なＬＴＥダウンリンク物理リソースを示す図である。
【図２】例示的なＬＴＥ時間領域構造を示す図である。
【図３】ＬＴＥキャリアアグリゲーションを使用する未ライセンススペクトルへのＬＡＡの一例を示す図である。
【図４】２つのシンボルと１つのインターレースとを占有する短いＰＵＣＣＨの一例を示す図である。
【図５】短いＰＵＣＣＨが、同じサブフレーム中でＰＵＳＣＨ送信と多重化することの一例を示す図である。
【図６】２つのＰＵＣＣＨ  ＵＥ  ＤＳが、ＮＰＲＢ個のＰＲＢをもつ（１つまたは複数の）同じインターレース上で多重化することの一例を示す図である。
【図７】長いＰＵＣＣＨの一例を示す図である。
【図８】長いＰＵＣＣＨが、同じサブフレーム中でＰＵＳＣＨ送信と多重化することの一例を示す図である。
【図９】長いＰＵＣＣＨが、シンボルベースの周波数ホッピングを用いて同じサブフレーム中でＰＵＳＣＨ送信と多重化することの一例を示す図である。
【図１０】２つのＰＵＣＣＨ  ＵＥ  ＲＳが、（１つまたは複数の）同じインターレース上で多重化することの一例を示す図である。
【図１１】ＬＴＥネットワークの一例を示す図である。
【図１２】ワイヤレス通信デバイスの一例を示す図である。
【図１３】無線アクセスノードの一例を示す図である。
【図１４】ワイヤレス通信デバイスを動作させる例示的な方法を示す図である。
【図１５】ワイヤレス通信デバイスの一例を示す図である。
【図１６】無線アクセスノードを動作させる例示的な方法を示す図である。
【図１７】無線アクセスノードの一例を示す図である。
【図１８】Ｂ−ＩＦＤＭＡの一例を示す図である。
【図１９】シンボル間およびシンボル内ＯＣＣの一例を示す図である。
【発明を実施するための形態】
【００６５】
以下の説明は、開示される主題の様々な実施形態を提示する。これらの実施形態は、教示例として提示され、開示される主題の範囲を限定するものと解釈されるべきではない。たとえば、説明される実施形態のいくらかの詳細は、開示される主題の範囲から逸脱することなく、変更、省略、または拡大され得る。
【００６６】
ＬＡＡ／スタンドアロンＬＴＥ−Ｕでは、ＨＡＲＱ−ＡＣＫ、ＣＳＩなどのアップリンク制御情報（ＵＣＩ）は、スケジュールされたＵＬ−ＳＣＨデータがないとき、制御チャネルＰＵＣＣＨ上でＵＥからｅＮＢに送られる。Ｒｅｌ−１３までのＰＵＣＣＨ設計は、ライセンス済みスペクトルにおけるキャリアのみのためのものであり、規制要件により未ライセンススペクトルにおけるキャリアのために再利用されることが可能でない。加えて、ＰＵＣＣＨのための保証されたチャネルアクセス利用可能性がもはやないので、未ライセンススペクトルにおけるキャリア上のＰＵＣＣＨを設計するとき、特別な考慮がなされるべきである。
【００６７】
開示される主題のいくらかの実施形態は、ＬＡＡ／スタンドアロンＬＴＥ−Ｕのためのアップリンク制御チャネル（たとえば、ＰＵＣＣＨ）フォーマットの物理レイヤ設計を与える。様々な代替実施形態は、短いＰＵＣＣＨと長いＰＵＣＣＨとを含む２つのＰＵＣＣＨフォーマットのいずれかまたは両方を採用し得る。２つの異なるＰＵＣＣＨフォーマットは、たとえば、ｅＮＢタイミング構成および／またはＨＡＲＱプロトコルに応じてＵＣＩ送信について考慮され得る。説明される実施形態のうちの数個がＰＵＣＣＨに関するが、とはいえ、説明される概念は、他のタイプのアップリンク制御チャネルに適用され得る。
【００６８】
短いＰＵＣＣＨは、通常、時間領域中の１つのサブフレーム未満（たとえば、１〜４個のＳＣ−ＦＤＭＡ／ＯＦＤＭシンボル）を占有し、長いＰＵＣＣＨは、通常、１つのサブフレームを占有する。両方のフォーマットは、インターレーシングを用いて帯域幅全体に広がる。ＵＥ多重化が、データシンボルと参照シンボルとの上で直交カバーコード（ＯＣＣ）と巡回シフト（ＣＳ）とを使用して、両方のフォーマット上でサポートされる。通常ＰＵＣＣＨは、また、同じまたは異なるＵＥからのＰＵＳＣＨ送信と多重化され得る。
【００６９】
いくらかの実施形態では、特定のＰＵＣＣＨフォーマットの確立および／または使用が、１つまたは複数の無線アクセスノードによって協調され得る。そのような協調は、たとえば、フォーマットを決定することと、１つまたは複数の無線アクセスノードから１つまたは複数のワイヤレス通信デバイスにスケジューリングおよび／またはフォーマット情報をシグナリングすることとを含み得る。フォーマットの決定は、たとえば、ｅＮＢタイミング構成またはＨＡＲＱプロトコルに従ってＰＵＣＣＨフォーマットを選択することを含み得る。シグナリングは、たとえば、ダウンリンク制御シグナリングまたは無線リソース制御（ＲＲＣ）構成シグナリングの形態をとり得る。
【００７０】
説明される実施形態は、従来の手法と比較して様々な潜在的利益を与え得る。いくつかの実施形態は、たとえば、ＵＣＩが、未ライセンススペクトルにおけるキャリア上のＰＵＣＣＨ上で送信されることを可能にし得、いくつかの実施形態は、レガシーＬＴＥ  ＰＵＣＣＨと同様の機能が維持されることを可能にし得、いくつかの実施形態は、ＵＥ多重化が、新しいＰＵＣＣＨフォーマット上でサポートされることを可能にし得る。
【００７１】
以下の実施形態は、未ライセンススペクトルにおけるＰＵＣＣＨの物理レイヤ構成を含む。下で説明されるいくらかの方法または概念は、シングルキャリア送信およびマルチキャリア送信の両方のために使用され得る。また、提案される手法は、ＬＡＡ、ＬＴＥ−ＵおよびスタンドアロンＬＴＥ−Ｕなど、未ライセンススペクトルにおいて動作するＬＴＥの異なる変形形態に適用され得る。
【００７２】
以下の説明では、「短いＰＵＣＣＨ」という用語は、時間領域中で、比較的短い、たとえば、１つのサブフレーム未満であるＰＵＣＣＨを指す。たとえば、短いＰＵＣＣＨは、ｅＮＢ構成に応じて１〜４個のＳＣ−ＦＤＭＡまたはＯＦＤＭシンボルを占有し得る。周波数領域中で、短いＰＵＣＣＨは、インターレーシングによって全帯域幅に広がり得る。同様に、「長いＰＵＣＣＨ」という用語は、時間領域中で、比較的長い、たとえば、１つのサブフレームであるＰＵＣＣＨを指す。周波数領域中で、長いＰＵＣＣＨは、インターレーシングによって全帯域幅に広がり得る。
【００７３】
短いＰＵＣＣＨまたは長いＰＵＣＣＨは、短いＰＵＣＣＨまたは長いＰＵＣＣＨのインターレースが、たとえば、図７に例示されているように、帯域幅全体に広がるインターレーシングパターン中に含まれる場合、インターレーシングによって全帯域幅に広がると見なされる。「全帯域幅」、「帯域幅全体」、「システム帯域幅全体」などの用語は、一般に、キャリアの送信帯域幅を指す。たとえば、そのような用語は、それぞれ、１０ＭＨｚまたは２０ＭＨｚよりもわずかに小さいことがある、１０ＭＨｚまたは２０ＭＨｚキャリアの送信帯域幅を指すことがある。
【００７４】
「インターレーシング」という用語は、物理リソースが、たとえば、図４〜図５および図７〜図１０に例示されているもののうちの１つなど、パターンに従って割り振られるかまたは割り当てられる技法を指す。「インターレース」という用語は、インターレーシングパターンの一部を形成する物理リソースのセットを指し、例示的なインターレースは、図４に示されているリソースブロックの２つのシンボル、または図７に示されている２つのリソースブロックである。概して、インターレーシングは、インターレースが、周波数領域中のリソースブロックのサイズに対応するサブキャリアのセットに広がる場合、リソースブロックレベルにおいて実施されると見なされる。たとえば、図４および図７は、両方とも、リソースブロックレベルにおけるインターレーシングの例を示す。対照的に、インターレーシングは、インターレースが、周波数領域中のサブキャリアのみに広がる場合、サブキャリアレベルにおいて実施されると見なされる。ＬＴＥおよび関係するシステムのコンテキストでは、リソースブロックレベルにおけるインターレーシングはブロックインターリーブ周波数分割多元接続（Ｂ−ＩＦＤＭＡ）と呼ばれることもあり、これを用いて、間に０値をもつ例示されたＰＵＣＣＨ物理リソースの逆フーリエ変換（ＩＦＦＴ）が、Ｂ−ＩＦＤＭＡシンボルと呼ばれる時間領域波形を作成する。（送信機における）前述のＩＦＦＴのサイズは、通常、システム帯域幅に対応する。Ｂ−ＩＦＤＭＡの一例が、短い／長いＰＵＣＣＨのためのＢ−ＩＦＤＭＡ送信機の簡略ブロック図である図１８に示されており、ここで、たとえば、１０個のＲＢの１つのインターレースを使用するとき、２０ＭＨｚシステム帯域幅の場合、Ｍ＝１２０およびＮ＝２０４８である。図１８の例では、第３のインターレースが、１０個の候補の中から割り振られる。
【００７５】
図４は、時間領域中の２つのシンボルと周波数領域中の１つのインターレースとを占有する短いＰＵＣＣＨの一例を示す。一例では、復調用参照信号（ＤＭＲＳ）は、（１つまたは複数の）割り振られたインターレース上の、または全帯域幅にわたる、たとえば、全最大送信帯域幅またはシステム帯域幅にわたるすべてのインターレース上の、Ｂ−ＩＦＤＭＡシンボル内のすべてのサブキャリア上で送られる。別の例では、ＤＭＲＳは、図４の最右部分に例示されているように、それのパターンが、異なるＢ−ＩＦＤＭＡシンボル上でシフトされるかまたはシフトされないことがある、（たとえば、より多くのＰＵＣＣＨデータを可能にするための）数個のサブキャリア、たとえば、６つのサブキャリアごとに送られる。
【００７６】
複数のＰＵＣＣＨ  ＵＥが、下で解説される様々な代替手法によってＰＵＣＣＨリソース上で多重化され得る。ＰＵＣＣＨ  ＵＥはまた、図５に示されているように、他のＵＥのためのＰＵＳＣＨ送信が他のインターレーシングパターンを占有するようなやり方で、同じサブフレーム中でＰＵＳＣＨ  ＵＥと多重化され得る。
【００７７】
ＰＵＣＣＨ多重化の場合、一例では、ＰＵＣＣＨ  ＵＥは、異なるインターレーシングパターンを割り振られる、すなわち、周波数分割多重化である。
【００７８】
別の例では、複数のＰＵＣＣＨ  ＵＥが同じインターレーシングパターンを割り振られ、その場合、ＵＥは同じ時間周波数リソース上でのＰＵＣＣＨデータの多重化を可能にするために、異なる直交カバーコード（ＯＣＣ）を適用する。このコンテキストでは、ＯＣＣは、２つの異なるやり方で、またはその両方の組合せで、すなわち、シンボル間ＯＣＣを介しておよび／またはシンボル内ＯＣＣを介して採用され得る。図１９は、バイポーラアダマールＯＣＣをもつ、ＤＳ間ＯＣＣ長さ２（図１９の上部）とＤＳ内ＯＣＣ長さ２（図１９の下部）との例を示す。
【００７９】
図６は、２つのＰＵＣＣＨ  ＵＥ  ＤＳが、ＮＰＲＢ個のＰＲＢをもつ（１つまたは複数の）同じインターレース上で多重化することの一例を示す。この例では、ＯＦＤＭ変調を用いて、ＯＣＣ拡散が、割り当てられたサブキャリア（ＳＣ）の総数について周波数領域中のシンボル内で適用される。Ｂ−ＩＦＤＭＡ変調の場合、シンボル内のＯＣＣ拡散は、図６と同様であるが、代わりに、通常、物理リソースブロック（ＰＲＢ）ごとに、さらに、送信機ＤＦＴの前に適用される。シンボル内ＯＣＣのこの後者の場合は、（１つまたは複数の）割り当てられたインターレース内の各ＰＲＢについて図６中でＮＰＲＢ＝１を本質的に仮定することによって、ＰＲＢごとにＯＣＣに対応する。
【００８０】
図６は、２つのＵＥが多重化される場合を例証することが強調されるべきである。ＰＲＢベースのＢ−ＩＦＤＭＡおよびシンボル内ＯＣＣでは、２つのＵＥ多重化の場合は、各ＵＥが、２のＯＣＣ長さ（すなわち、２つの繰り返されるシンボル）を適用することに対応する。ＰＲＢベースのシンボル内ＯＣＣを使用してＢ−ＩＦＤＭＡを用いて、たとえば、４つまたは６つのＵＥを多重化することに対する拡張が、長さ４または長さ６（すなわち、各ＰＲＢ内の繰り返す４つまたは６つのサブキャリア）のＯＣＣを代わりに適用することによって直ちに生じる。ＯＣＣシーケンスは、たとえば、図６の場合のような＋１、−１をもつアダマール行列に基づくか、またはＤＦＴ行列など、直交行列の列／行に基づき得る。後者は、たとえば、４つまたは６つのシンボル内ＯＣＣ多重化ＵＥの場合に選好され得る。別の例として、ＯＣＣ拡散は、データシンボル（ＤＳ）を含んでいるＢ−ＩＦＤＭＡシンボル間で適用される。後者の場合、ＯＣＣは、送信機変調の後に、すなわち、時間領域中で適用され得る。等価的に、シンボル間ＯＣＣは、シンボル間ＯＣＣがスカラー乗算に対応するので、周波数領域中で、または送信機ＤＦＴの前に適用され得る。参照シンボル（ＲＳまたはいわゆるＤＭＲＳ）は、Ｚａｄｏｆｆ−Ｃｈｕシーケンスに基づいてＬＴＥアップリンクにおいて既存のＤＭＲＳシーケンスを使用している（＞２ＰＲＢを仮定する。より少数のＰＲＢの場合、他のシーケンスが使用される）。複数のＵＥが、通常、同じルートシーケンスを使用しており、同じ時間周波数リソース上でＲＳを送信する。ＲＳ多重化の場合、異なる巡回シフトが、異なるＵＥのために適用される。
【００８１】
ＨＡＲＱフィードバックおよび対応するプロセスＩＤは、明示的にリストされるか、または、たとえば、ビットマップ（プロセスごとに１または２ビット）として与えられるかのいずれかであり得る。設計を３ＧＰＰ  Ｒｅｌ−１３  ＣＡと整合させるために、短いＰＵＣＣＨ（ｓＰＵＣＣＨ）上のＵＣＩは、８ビットＣＲＣをアタッチされ、中間ペイロードサイズから大きいペイロードサイズ、たとえば、＞１６〜２０ビットペイロードのためのテールバイティング畳み込みコード（ＴＢＣＣ：Ｔａｉｌ  Ｂｉｔｉｎｇ  Ｃｏｎｖｏｌｕｔｉｏｎａｌ  Ｃｏｄｅ）を使用して符号化される。より短いペイロード、たとえば、＜１６〜２０ビットの場合、ブロックコードは、性能、たとえば、ＬＴＥによって利用されるリード−マラーコードを改善するためにＣＲＣなしに使用され得る。他の符号化タイプも使用され得る。符号化シンボルは、たとえば、第１に周波数、第２に時間の様式（ａ  ｆｒｅｑｕｅｎｃｙ  ｆｉｒｓｔ  ｔｉｍｅ  ｓｅｃｏｎｄ  ｍａｎｎｅｒ）で、利用可能なリソース要素（Ｒｅ）にマッピングされる。同様の特徴が、長いＰＵＣＣＨに関しても使用され得る。
【００８２】
図７は、ＰＵＣＣＨが、サブフレームごとに２つのＤＭＲＳシンボルをもつ１つのサブフレーム中の１つのインターレースを占有する、長いＰＵＣＣＨの一例を示す。サブフレームごとの他の数のＤＭＲＳ、たとえば、ＬＴＥ  ＰＵＣＣＨフォーマット３の場合のようにサブフレームごとに４つのシンボルも使用され得る。概して、長いＰＵＣＣＨは、時間領域中の１つのサブフレームを占有し、長いＰＵＣＣＨは、周波数領域中のインターレーシングによって全帯域幅に広がる。復調用参照信号（ＤＭＲＳ）は、（１つまたは複数の）割り振られたインターレース上の、または全帯域幅にわたるすべてのインターレース上の、Ｂ−ＩＦＤＭＡシンボル内のすべてのサブキャリア上で送られる。
【００８３】
短いＰＵＣＣＨと同様に、複数のＰＵＣＣＨ  ＵＥはまた、長いＰＵＣＣＨを使用して多重化され得る。ＰＵＣＣＨ  ＵＥはまた、周波数ホッピングをもたない図８に示されているようなＰＵＣＣＨデータ送信とＰＵＳＣＨデータ送信とのための異なるインターレーシングパターンを使用して、同じサブフレーム中でＰＵＳＣＨ  ＵＥと多重化され得る。別の例では、周波数ホッピングが可能にされ、ＵＥは、ホッピングされたリソースを使用することによって多重化される。一例は、（インターレース番号付けが、サブフレーム中の第１のシンボルにおいて使用されるロケーションを指す）図９に示されているようにシンボルベースの周波数ホッピングを有することである。
【００８４】
ＰＵＣＣＨ多重化の場合、一例では、ＰＵＣＣＨ  ＵＥは、ＰＵＳＣＨ  ＵＥおよび他のＰＵＣＣＨ  ＵＥと比較して、異なるインターレーシングパターンを割り振られる。
【００８５】
別の例では、複数のＰＵＣＣＨ  ＵＥが、同じインターレーシングパターンを割り振られる。データシンボル（ＤＳ）のために、ＵＥは、同じ時間周波数リソース上で多重化されることになる異なる直交カバーコード（ＯＣＣ）を適用する。一例として、ＯＣＣ拡散は、図６に示されているように、割り当てられたサブキャリアの総数について送信機ＤＦＴ／ＩＦＦＴの前にＢ−ＩＦＤＭＡシンボル内で、または前に解説されたように、（１つまたは複数の）割り当てられたインターレース内の各ＰＲＢについてＮＰＲＢ＝１を本質的に仮定することによってＰＲＢごとに、適用される。Ｂ−ＩＦＤＭＡがある場合、ＯＣＣはＤＦＴの前に適用される。別の例として、ＯＣＣ拡散は、ＤＳを含んでいるＢ−ＩＦＤＭＡシンボル間で適用される。
【００８６】
参照シンボル（ＲＳまたはいわゆるＤＭＲＳ）は、Ｚａｄｏｆｆ−Ｃｈｕシーケンスに基づいてＬＴＥアップリンクにおいて既存のＤＭＲＳシーケンスを使用する（＞２ＰＲＢを仮定する）。複数のＵＥが、同じルートシーケンスを使用し、同じ時間周波数リソース上でＲＳを送信する。ＲＳ多重化の場合、一例では、複数のＰＵＣＣＨおよびＰＵＳＣＨ  ＵＥが、１つのＲＳシンボル内の異なる巡回シフトを適用する。
【００８７】
別の例では、２つのＵＥが、２つのＤＭＲＳシンボル上のＯＣＣ［１  １］および［１  −１］を使用して多重化される。さらなる例では、複数のＵＥは、図１０に示されているように、ＤＭＲＳシンボル間のＯＣＣと１つのＤＭＲＳシンボル内の巡回シフトの両方を適用する。より詳細には、ＰＵＳＣＨ  ＵＥは、ＤＭＲＳのためにＯＣＣ［１  １］を適用することができ、ＰＵＣＣＨ  ＵＥは、ＯＣＣ［１  −１］を適用する。このやり方で、ＤＭＲＳ  ＣＳ（すなわち、リソース）の総数は、ＰＵＳＣＨ  ＵＥの数とは無関係にすべてのＰＵＣＣＨ  ＵＥの間で分割され得、その逆も同様である。
【００８８】
説明される実施形態は、好適な通信規格をサポートし、好適な構成要素を使用する適切なタイプの通信システムにおいて実装され得る。一例として、いくらかの実施形態は、図１１に例示されているものなど、ＬＴＥネットワークにおいて実装され得る。
【００８９】
図１１を参照すると、通信ネットワーク１１００は、複数のワイヤレス通信デバイス１１０５（たとえば、従来のＵＥ、マシンタイプ通信［ＭＴＣ］／マシンツーマシン［Ｍ２Ｍ］ＵＥ）と、複数の無線アクセスノード１１１０（たとえば、ｅノードＢまたは他の基地局）とを備える。通信ネットワーク１１００は、対応する無線アクセスノード１１１０を介してコアネットワーク１２０に接続されるセル１１１５に編成される。無線アクセスノード１１１０は、ワイヤレス通信デバイス間の、またはワイヤレス通信デバイスと（固定電話などの）別の通信デバイスとの間の通信をサポートすることに適した追加の要素とともに、ワイヤレス通信デバイス１１０５と通信することが可能である。
【００９０】
ワイヤレス通信デバイス１１０５は、ハードウェアおよび／またはソフトウェアの好適な組合せを含む通信デバイスを表し得るが、これらのワイヤレス通信デバイスは、いくらかの実施形態では、図１２によってより詳細に例示されている例示的なワイヤレス通信デバイスなど、デバイスを表し得る。同様に、例示されている無線アクセスノードは、ハードウェアおよび／またはソフトウェアの好適な組合せを含むネットワークノードを表し得るが、これらのノードは、特定の実施形態では、図１３によってより詳細に例示されている例示的な無線アクセスノードなど、デバイスを表し得る。
【００９１】
図１２を参照すると、ワイヤレス通信デバイス１２００は、プロセッサ１２０５と、メモリと、トランシーバ１２１５と、アンテナ１２２０とを備える。いくらかの実施形態では、ＵＥ、ＭＴＣまたはＭ２Ｍデバイス、および／あるいは他のタイプのワイヤレス通信デバイスによって与えられるものとして説明される機能の一部または全部は、図１２に示されているメモリなど、コンピュータ可読媒体に記憶された命令を実行するデバイスプロセッサによって与えられ得る。代替実施形態は、本明細書で説明される機能のいずれかを含むデバイスの機能のいくらかの態様を与えることを担当し得る、図１２中に示されている構成要素以外に追加の構成要素を含み得る。
【００９２】
図１３を参照すると、無線アクセスノード１３００は、ノードプロセッサ１３０５と、メモリ１３１０と、ネットワークインターフェース１３１５と、トランシーバ１３２０と、アンテナ１３２５とを備える。いくらかの実施形態では、基地局、ノードＢ、ｅノードＢ、および／または他のタイプのネットワークノードによって与えられると説明される機能の一部または全部は、図１３に示されているメモリ１３１０など、コンピュータ可読媒体に記憶された命令を実行するノードプロセッサ１３０５によって与えられ得る。無線アクセスノード１３００の代替実施形態は、本明細書で説明される機能および／または関係するサポート機能など、追加の機能を与えるための追加の構成要素を備え得る。
【００９３】
図１４〜図１６は、上記の特徴の一部または全部が潜在的に実装され得る、様々な方法および装置を例示する。
【００９４】
図１４は、ワイヤレス通信デバイスを動作させる方法１４００を例示するフローチャートである。図１４の方法は、たとえば、図１１、図１２または図１５のいずれかに例示されているようなワイヤレス通信デバイスによって実施され得る。
【００９５】
図１４を参照すると、方法１４００は、未ライセンススペクトルにおけるアップリンク制御情報（ＵＣＩ）の送信のための物理アップリンク制御チャネル（ＰＵＣＣＨ）フォーマットを識別すること（Ｓ１４０５）であって、ＰＵＣＣＨフォーマットが、短いＰＵＣＣＨまたは長いＰＵＣＣＨであり、短いＰＵＣＣＨが、時間領域中の１つのサブフレーム未満を占有し、リソースブロックレベルでのインターレーシングを用いて周波数領域中のシステム帯域幅全体に広がり、長いＰＵＣＣＨが、時間領域中の１つのサブフレームを占有し、リソースブロックレベルでのインターレーシングを用いて周波数領域中のシステム帯域幅全体に広がる、識別すること（Ｓ１４０５）と、識別されたＰＵＣＣＨフォーマットに従ってＵＣＩを無線アクセスノードに送信すること（Ｓ１４１０）とを備える。このおよび他の実施形態では、ＰＵＣＣＨフォーマットを「識別すること」または「決定すること」は、ワイヤレス通信デバイスにとって利用可能な情報に基づいてフォーマットを決定すること、フォーマットの指示をワイヤレス通信デバイス中のメモリから読み取ること、フォーマットを使用するように事前設定されること、フォーマットを識別するシグナリングを無線アクセスノードから受信することなど、様々な代替のやり方で実施され得る。
【００９６】
いくらかの実施形態では、ＵＣＩは、１つまたは複数の他のワイヤレス通信デバイスと協調して無線アクセスノードに送信される。ある種の関係する実施形態では、１つまたは複数の他のワイヤレス通信デバイスと協調してＵＣＩを送信することが、短いＰＵＣＣＨまたは長いＰＵＣＣＨにおいて、それぞれ、制御データシンボルと参照シンボルとの上で直交カバーコード（ＯＣＣ）と巡回シフト（ＣＳ）とを使用して、１つまたは複数の他のワイヤレス通信デバイスと多重化することを含む。いくらかの他の関係する実施形態では、１つまたは複数の他のワイヤレス通信デバイスと協調してＵＣＩを無線アクセスノードに送信することは、短いＰＵＣＣＨまたは長いＰＵＣＣＨと同じインターレース上で１つまたは複数の他のワイヤレス通信デバイスを多重化することを含む。いくらかの他の関係する実施形態では、ワイヤレス通信デバイスおよび１つまたは複数の他のワイヤレス通信デバイスは、異なるインターレーシングパターンを割り振られる。いくらかの他の関係する実施形態では、ワイヤレス通信デバイスおよび１つまたは複数の他のワイヤレス通信デバイスは、同じインターレーシングパターンを割り振られ、ワイヤレス通信デバイスおよび１つまたは複数の他のワイヤレス通信デバイスは、同じ時間周波数リソース上でＰＵＣＣＨ制御データを可能にするために、異なる直交カバーコード（ＯＣＣ）を適用する。
【００９７】
いくらかの実施形態では、ＰＵＣＣＨフォーマットは短いＰＵＣＣＨであり、短いＰＵＣＣＨは、時間領域中の少なくとも１つの復調用参照信号（ＤＭＲＳ）シンボルと少なくとも１つの制御データシンボルとを備える。ある種の関係する実施形態では、短いＰＵＣＣＨは、ダウンリンク部分サブフレームの端部におけるシンボルのシーケンスを備える。
【００９８】
いくらかの実施形態では、ＰＵＣＣＨフォーマットは短いＰＵＣＣＨであり、送信することは、割り振られたインターレース上の、またはシステム帯域幅全体にわたるすべての割り振られたインターレース上のブロックインターリーブ周波数分割多元接続（Ｂ−ＩＦＤＭＡ）シンボル内のすべてのサブキャリア上で、復調用参照信号（ＤＭＲＳ）シンボルを送信することを含む。
【００９９】
いくらかの実施形態では、ＰＵＣＣＨフォーマットは短いＰＵＣＣＨであり、送信することは、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを送信することを含み、ここで、「ｎ」は、１よりも大きい整数である。
【０１００】
図１５は、ワイヤレス通信デバイス１５００を例示する図である。
【０１０１】
図１５を参照すると、ワイヤレス通信デバイス１５００は、Ｓ１４０５の場合のようにＵＣＣＨフォーマットを識別するように設定された識別モジュール１５０５と、Ｓ１４１０の場合のようにＵＣＩを送信するように設定された送信モジュール１５１０とを備える。ワイヤレス通信デバイス１５００は、たとえば、図１４に関して上記で説明されたように追加の機能を実施するように設定された追加のモジュールをさらに備え得る。
【０１０２】
本明細書で使用される「モジュール」という用語は、指定された機能を実施するように設定されたハードウェアおよび／またはソフトウェアの好適な組合せを意味する。たとえば、図１５および他の図中のモジュールは、少なくとも１つのプロセッサおよびメモリ、１つまたは複数のコントローラなどによって実装され得る。
【０１０３】
図１６は、無線アクセスノードを動作させる方法１６００を例示するフローチャートである。図１６の方法は、たとえば、図１１、図１３または図１７のいずれかに例示されているような無線アクセスノードによって実施され得る。
【０１０４】
図１６を参照すると、方法１６００は、未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別すること（Ｓ１６０５）であって、ＰＵＣＣＨフォーマットが、短いＰＵＣＣＨまたは長いＰＵＣＣＨであり、短いＰＵＣＣＨが、時間領域中の１つのサブフレーム未満を占有し、リソースブロックレベルでのインターレーシングを用いて周波数領域中のシステム帯域幅全体に広がり、長いＰＵＣＣＨが、時間領域中の１つのサブフレームを占有し、リソースブロックレベルでのインターレーシングを用いて周波数領域中のシステム帯域幅全体に広がる、識別すること（Ｓ１６０５）と、識別されたＰＵＣＣＨフォーマットに従ってＵＣＩを少なくとも１つのワイヤレス通信デバイスから受信すること（Ｓ１６１０）とを備える。
【０１０５】
いくらかの実施形態では、ＰＵＣＣＨフォーマットを識別することは、ｅノードＢタイミング構成とハイブリッド自動再送要求（ＨＡＲＱ）プロトコルとのうちの少なくとも１つに従って、短いＰＵＣＣＨと長いＰＵＣＣＨとの間で選択することを含む。
【０１０６】
いくらかの実施形態では、受信されたＵＣＩは、短いＰＵＣＣＨまたは長いＰＵＣＣＨと同じインターレース上で、少なくとも１つの他のワイヤレス通信デバイスから送信された情報と多重化される。
【０１０７】
いくらかの実施形態では、ＰＵＣＣＨフォーマットは短いＰＵＣＣＨであり、短いＰＵＣＣＨは、時間領域中の少なくとも１つの復調用参照信号（ＤＭＲＳ）シンボルと少なくとも１つの制御データシンボルとを備える。ある種の関係する実施形態では、短いＰＵＣＣＨは、ダウンリンク部分サブフレームの端部におけるシンボルのシーケンスを備える。
【０１０８】
いくらかの実施形態では、受信されたＵＣＩは、短いＰＵＣＣＨまたは長いＰＵＣＣＨにおいて、少なくとも１つの他のワイヤレス通信デバイスから送信された情報と多重化される。ある種の関係する実施形態では、ＵＣＩと、少なくとも１つの他のワイヤレス通信デバイスから送信された情報とは、それぞれ、制御データシンボルと参照シンボルとの上で直交カバーコード（ＯＣＣ）と巡回シフト（ＣＳ）とを使用して多重化される。
【０１０９】
いくらかの実施形態では、ＰＵＣＣＨフォーマットは、割り振られたインターレース上の、またはシステム帯域幅全体にわたるすべての割り振られたインターレース上のブロックインターリーブ周波数分割多元接続（Ｂ−ＩＦＤＭＡ）シンボル内のすべてのサブキャリア上に、復調用参照信号（ＤＭＲＳ）シンボルを備える。いくらかの実施形態では、ＰＵＣＣＨフォーマットは、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを備え、ここで、「ｎ」は、１よりも大きい整数である。
【０１１０】
いくらかの実施形態では、ＵＣＩは、同じサブフレーム内の異なるインターレーシングパターンを使用して、少なくとも１つの他のワイヤレス通信デバイスからのＵＣＩと多重化される。
【０１１１】
いくらかの実施形態では、ＵＣＩは、同じサブフレーム内の同じインターレーシングパターンを使用して、少なくとも１つの他のワイヤレス通信デバイスからのＵＣＩと多重化される。ある種の関係する実施形態では、少なくとも１つのワイヤレス通信デバイスからのＵＣＩと少なくとも１つの他のワイヤレス通信デバイスからのＵＣＩとは、異なる直交カバーコード（ＯＣＣ）の対象となる。
【０１１２】
図１７は、無線アクセスノード１７００を例示する図である。
【０１１３】
図１７を参照すると、無線アクセスノード１７００は、Ｓ１６０５の場合のようにＰＵＣＣＨフォーマットを決定または識別するように設定された決定モジュール１７０５と、Ｓ１６１０の場合のようにＵＣＩを受信および復号するように設定された受信／復号モジュール１７１０とを備える。無線アクセスノード１７００は、たとえば、図１６に関して上記で説明されたように追加の機能を実施するように設定された追加のモジュールをさらに備え得る。
【０１１４】
前述のことによって指示されているように、開示される主題のいくらかの実施形態は、ＬＡＡ／スタンドアロンＬＴＥ−Ｕのための未ライセンススペクトルにおけるキャリア上で送信されることになる２つのＰＵＣＣＨフォーマットを与える。両方のフォーマットは、インターレースＵＬリソースを使用し、他のＰＵＣＣＨ／ＰＵＳＣＨ  ＵＥと多重化され得る。
【０１１５】
この説明において、以下の略語が使用される。
ＣＣＡ  クリアチャネルアセスメント
ＣＲＳ  セル固有参照信号
ＣＳＩ  チャネル状態情報
ＤＣＩ  ダウンリンク制御情報
ＤＬ  ダウンリンク
ＤＳ  データシンボル
ｅＮＢ  発展型ノードＢ、基地局
ＵＥ  ユーザ機器
ＵＬ  アップリンク
ＬＡＡ  ライセンス支援型アクセス
ＲＳ  参照信号
ＳＣｅｌｌ  ２次セル
ＬＢＴ  リッスンビフォアトーク
ＬＴＥ−Ｕ  未ライセンススペクトルにおけるＬＴＥ
ＰＵＳＣＨ  物理アップリンク共有チャネル
ＰＵＣＣＨ  物理アップリンク制御チャネル
ＵＣＩ  アップリンク制御情報
【０１１６】
開示される主題が様々な実施形態に関して上記で提示されたが、開示される主題の全体的範囲から逸脱することなく、形態および詳細の様々な変更が、説明される実施形態に対して行われ得ることが理解されよう。
【図１】
2019504543.tif 000003
【図２】
2019504543.tif 000004
【図３】
2019504543.tif 000005
【図４】
2019504543.tif 000006
【図５】
2019504543.tif 000007
【図６】
2019504543.tif 000008
【図７】
2019504543.tif 000009
【図８】
2019504543.tif 000010
【図９】
2019504543.tif 000011
【図１０】
2019504543.tif 000012
【図１１】
2019504543.tif 000013
【図１２】
2019504543.tif 000014
【図１３】
2019504543.tif 000015
【図１４】
2019504543.tif 000016
【図１５】
2019504543.tif 000017
【図１６】
2019504543.tif 000018
【図１７】
2019504543.tif 000019
【図１８】
2019504543.tif 000020
【図１９】
2019504543.tif 000021
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
ワイヤレス通信デバイスを動作させる方法（１４００）であって、
未ライセンススペクトルにおけるアップリンク制御情報（ＵＣＩ）の送信のための物理アップリンク制御チャネル（ＰＵＣＣＨ）フォーマットを識別すること（Ｓ１４０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がる、識別すること（Ｓ１４０５）と、
前記識別されたＰＵＣＣＨフォーマットに従って前記ＵＣＩを無線アクセスノードに送信すること（Ｓ１４１０）と
を含む、方法（１４００）。
【請求項２】
ワイヤレス通信デバイス（１１０５、１２００）であって、
未ライセンススペクトルにおけるアップリンク制御情報（ＵＣＩ）の送信のための物理アップリンク制御チャネル（ＰＵＣＣＨ）フォーマットを識別すること（Ｓ１４０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がる、識別すること（Ｓ１４０５）
を行うように設定された少なくとも１つのプロセッサ（１２０５）と、
前記識別されたＰＵＣＣＨフォーマットに従って前記ＵＣＩを無線アクセスノードに送信すること（Ｓ１４１０）を行うように設定された少なくとも１つの送信機と
を備える、ワイヤレス通信デバイス（１１０５、１２００）。
【請求項３】
前記ＵＣＩが、１つまたは複数の他のワイヤレス通信デバイスと協調して前記無線アクセスノードに送信される、請求項２に記載のワイヤレス通信デバイス。
【請求項４】
前記１つまたは複数の他のワイヤレス通信デバイスと協調して前記ＵＣＩを前記無線アクセスノードに送信することが、前記短いＰＵＣＣＨまたは前記長いＰＵＣＣＨと同じインターレース上で前記１つまたは複数の他のワイヤレス通信デバイスを多重化することを含む、請求項３に記載のワイヤレス通信デバイス。
【請求項５】
前記ＰＵＣＣＨフォーマットが短いＰＵＣＣＨである、請求項２から４のいずれか一項に記載のワイヤレス通信デバイス。
【請求項６】
前記ＰＵＣＣＨフォーマットが長いＰＵＣＣＨである、請求項２から４のいずれか一項に記載のワイヤレス通信デバイス。
【請求項７】
前記短いＰＵＣＣＨが、前記時間領域中の少なくとも１つの復調用参照信号（ＤＭＲＳ）シンボルと少なくとも１つの制御データシンボルとを備える、請求項５に記載のワイヤレス通信デバイス。
【請求項８】
前記短いＰＵＣＣＨが、ダウンリンク部分サブフレームの端部におけるシンボルのシーケンスを備える、請求項７に記載のワイヤレス通信デバイス。
【請求項９】
前記１つまたは複数の他のワイヤレス通信デバイスと協調して前記ＵＣＩを送信することが、前記短いＰＵＣＣＨまたは前記長いＰＵＣＣＨにおいて、それぞれ、データシンボルと参照シンボルとの上で直交カバーコード（ＯＣＣ）と巡回シフト（ＣＳ）とを使用して、前記１つまたは複数の他のワイヤレス通信デバイスと多重化することを含む、請求項３に記載のワイヤレス通信デバイス。
【請求項１０】
前記送信することが、割り振られたインターレース上の、または前記システム帯域幅全体にわたるすべての割り振られたインターレース上のブロックインターリーブ周波数分割多元接続（Ｂ−ＩＦＤＭＡ）シンボル内のすべてのサブキャリア上で、復調用参照信号（ＤＭＲＳ）シンボルを送信することを含む、請求項５に記載のワイヤレス通信デバイス。
【請求項１１】
前記送信することが、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを送信することを含み、ここで、「ｎ」が、１よりも大きい整数である、請求項５に記載のワイヤレス通信デバイス。
【請求項１２】
前記ワイヤレス通信デバイスおよび前記１つまたは複数の他のワイヤレス通信デバイスが、異なるインターレーシングパターンを割り振られる、請求項３に記載のワイヤレス通信デバイス。
【請求項１３】
前記ワイヤレス通信デバイスおよび前記１つまたは複数の他のワイヤレス通信デバイスが、同じインターレーシングパターンを割り振られ、前記ワイヤレス通信デバイスおよび前記１つまたは複数の他のワイヤレス通信デバイスが、同じ時間周波数リソース上でＰＵＣＣＨ制御データを可能にするために、異なる直交カバーコード（ＯＣＣ）を適用する、請求項３に記載のワイヤレス通信デバイス。
【請求項１４】
無線アクセスノードを動作させる方法（１６００）であって、
未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別すること（Ｓ１６０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がるに広がる、識別すること（Ｓ１６０５）と、
前記識別されたＰＵＣＣＨフォーマットに従って前記ＵＣＩを前記少なくとも１つのワイヤレス通信デバイスから受信すること（Ｓ１６１０）と
を含む、方法（１６００）。
【請求項１５】
無線アクセスノード（１１１０、１３００）であって、
未ライセンススペクトルにおけるアップリンク制御情報（ＵＣＩ）の送信のために少なくとも１つのワイヤレス通信デバイスによって使用されることになる物理アップリンク制御チャネル（ＰＵＣＣＨ）フォーマットを識別すること（Ｓ１６０５）であって、前記ＰＵＣＣＨフォーマットが、短いＰＵＣＣＨまたは長いＰＵＣＣＨであり、前記短いＰＵＣＣＨが、時間領域中の１つのサブフレーム未満を占有し、かつ、リソースブロックレベルでのインターレーシングを用いて周波数領域中のシステム帯域幅全体に広がり、前記長いＰＵＣＣＨが、前記時間領域中の１つのサブフレームを占有し、かつ、リソースブロックレベルでのインターレーシングを用いて前記周波数領域中の前記システム帯域幅全体に広がる、識別すること（Ｓ１６０５）
を行うようにまとめて設定された少なくとも１つのプロセッサ（１３０５）およびメモリ（１３１０）と、
前記識別されたＰＵＣＣＨフォーマットに従って前記ＵＣＩを前記少なくとも１つのワイヤレス通信デバイスから受信すること（Ｓ１６１０）を行うように設定された受信機と
を備える、無線アクセスノード（１１１０、１３００）。
【請求項１６】
前記ＰＵＣＣＨフォーマットを識別することが、ｅノードＢタイミング構成とハイブリッド自動再送要求（ＨＡＲＱ）プロトコルとのうちの少なくとも１つに従って、短いＰＵＣＣＨと長いＰＵＣＣＨとの間で選択することを含む、請求項１５に記載の無線アクセスノード。
【請求項１７】
前記受信されたＵＣＩが、前記短いＰＵＣＣＨまたは前記長いＰＵＣＣＨと同じインターレース上で、少なくとも１つの他のワイヤレス通信デバイスから送信された情報と多重化される、請求項１５または１６に記載の無線アクセスノード。
【請求項１８】
前記ＰＵＣＣＨフォーマットが短いＰＵＣＣＨである、請求項１５から１７のいずれか一項に記載の無線アクセスノード。
【請求項１９】
前記ＰＵＣＣＨフォーマットが長いＰＵＣＣＨである、請求項１５から１７のいずれか一項に記載の無線アクセスノード。
【請求項２０】
前記短いＰＵＣＣＨが、前記時間領域中の少なくとも１つの復調用参照信号（ＤＭＲＳ）シンボルと少なくとも１つの制御データシンボルとを備える、請求項１８に記載の無線アクセスノード。
【請求項２１】
前記短いＰＵＣＣＨが、ダウンリンク部分サブフレームの端部におけるシンボルのシーケンスを備える、請求項２０に記載の無線アクセスノード。
【請求項２２】
前記受信されたＵＣＩが、前記短いＰＵＣＣＨまたは前記長いＰＵＣＣＨにおいて、少なくとも１つの他のワイヤレス通信デバイスから送信された情報と多重化される、請求項１５に記載の無線アクセスノード。
【請求項２３】
前記ＵＣＩと、前記少なくとも１つの他のワイヤレス通信デバイスから送信された前記情報とが、それぞれ、制御データシンボルと参照シンボルとの上で直交カバーコード（ＯＣＣ）と巡回シフト（ＣＳ）とを使用して多重化される、請求項２２に記載の無線アクセスノード。
【請求項２４】
前記ＰＵＣＣＨフォーマットが、割り振られたインターレース上の、または前記システム帯域幅全体にわたるすべての割り振られたインターレース上のブロックインターリーブ周波数分割多元接続（Ｂ−ＩＦＤＭＡ）シンボル内のすべてのサブキャリア上に、復調用参照信号（ＤＭＲＳ）シンボルを備える、請求項１５に記載の無線アクセスノード。
【請求項２５】
前記ＰＵＣＣＨフォーマットが、異なるＢ−ＩＦＤＭＡシンボル上でシフトされるかまたはシフトされないことがあるパターンを用いて、「ｎ」個のサブキャリアごとに１回復調用参照信号（ＤＭＲＳ）シンボルを備え、ここで、「ｎ」が、１よりも大きい整数である、請求項１５に記載の無線アクセスノード。
【請求項２６】
前記ＵＣＩが、同じサブフレーム内の異なるインターレーシングパターンを使用して、少なくとも１つの他のワイヤレス通信デバイスからのＵＣＩと多重化される、請求項１５に記載の無線アクセスノード。
【請求項２７】
前記ＵＣＩが、同じサブフレーム内の同じインターレーシングパターンを使用して、少なくとも１つの他のワイヤレス通信デバイスからのＵＣＩと多重化される、請求項１５に記載の無線アクセスノード。
【請求項２８】
前記少なくとも１つのワイヤレス通信デバイスからの前記ＵＣＩと前記少なくとも１つの他のワイヤレス通信デバイスからの前記ＵＣＩとが、異なる直交カバーコード（ＯＣＣ）の対象となる、請求項２７に記載の無線アクセスノード。
【請求項２９】
プロセッサを備えるワイヤレス通信デバイスに、請求項１に記載の方法を実行させるためのコンピュータプログラム。
【請求項３０】
プロセッサを備える無線アクセスノードに、請求項１４に記載の方法を実行させるためのコンピュータプログラム。
【国際調査報告】
2019504543.tif 000022
2019504543.tif 000023